(57)【要約】【課題】  流し台や洗面台への水栓の取付けを天板の上側からのみの簡単な作業で、短時間かつ確実で安定した取付けができるようにする。【解決手段】  天板９の取付孔１０の上側に配置され給水管４、給湯管５が挿通する開口孔２５が形成された台座２０と、この台座２０に固定される締付ユニット４０，４０ａとから水栓Ａの取付部材Ｂを構成し、台座２０はその上面に開口孔２５内から締付ユニット４０，４０ａが装着される支持部２３，２３ａが形成され、締付ユニット４０，４０ａは台座２０の開口孔２５内から支持部２３，２３ａに装着される支持板４２と開口孔２５を下方に貫通して天板９の下側に配置される支持棒４５とを備えた回転ガイド４１と、この回転ガイド４１に結合し下部には天板９の下側に配置される雄ねじ部４９が形成された締付ビス４６と、この締付ビス４６の雄ねじ部４９に螺着し締付ビス４６の操作で雄ねじ部４９に沿って上下に移動する座金５０とを備えている。【選択図】  図３
2008156919.tif 000002
【特許請求の範囲】
【請求項１】
天板の取付孔に取付部材が上側から取付けられ、この取付部材に水栓を取付ける水栓の取付構造において、天板の取付孔の上側に配置され給水管、給湯管が挿通する開口孔が形成された台座と、この台座に固定される締付ユニットとから前記取付部材を構成し、台座はその上面に開口孔内から締付ユニットが装着される支持部が形成され、締付ユニットは台座の開口孔内から支持部に装着される支持板と開口孔を下方に貫通して天板の下側に配置される支持棒とを備えた回転ガイドと、この回転ガイドに結合し下部には天板の下側に配置される雄ねじ部が形成された締付ビスと、この締付ビスの雄ねじ部に螺着し締付ビスの操作で雄ねじ部に沿って上下に移動する座金とを備え、台座を取付孔の上側に配置した後に締付ユニットを台座に装着し、締付ビスを締付けることで座金と台座との間で天板を挟着し、締付ユニットを台座に固定するようにしたことを特徴とする水栓の取付構造。
【請求項２】
前記回転ガイドの支持棒は一対設け、両支持棒の間に座金を挟持することで、締付ビスを締付けると座金は回転しないまま締付ビスの雄ねじ部に沿って上下に移動するようにしたことを特徴とする請求項１記載の水栓の取付構造。
【請求項３】
前記回転ガイドは一対設け、両回転ガイドの間にホースを挿通させるようにしたことを特徴とする請求項１又は請求項２記載の水栓の取付構造。
【発明の詳細な説明】
【技術分野】
【０００１】
この発明は、水栓を流し台や洗面台の天板に対し、上側からのみの作業で容易に取付けられるようにした水栓の取付構造に関するものである。
【背景技術】
【０００２】
一般に、水栓を流し台や洗面台の天板に取付けるには、まず水栓の下部に突出して形成された円筒状の雄ねじ部を、天板の取付孔に上側から差し込み、次に作業者は天板の下側の狭い空間に潜り込み、窮屈な姿勢でナットを水栓の雄ねじ部に締付けて固定していた。  しかし、このような水栓の取付構造では、天板の上側から水栓を回転しないように保持している者と、天板の下側からナットを水栓の雄ねじ部に締付ける者との二人の作業者を必要とし、一人では水栓の天板への取付けを行なうことができないうえ、天板の下側の狭い空間での作業は、窮屈な姿勢で行なわなければならず、施工性が非常に悪いためナットの締付けが緩くなる恐れがあり、施工不良による漏水が発生する恐れがあった。
【０００３】
そこで、水栓を天板の上側からのみの作業で容易に、かつ短時間に取付けられるようにしたものとして特許文献１がある。この特許文献１について簡単に説明すると、水栓の取付部材は、天板の取付孔に挿通可能である座金具と、天板の上側から配置する台座と、座金具に保持して台座を挿通し天板の上側から引き上げ可能とした連結材と、台座の上下方向に穿設された縦孔に挿通し天板の下側で座金具に締結可能な締結具とからなり、前記座金具を連結材の操作で引上げて天板の裏側へ密着させ、締結具により天板へ固定するものである。
【０００４】
【特許文献１】特開２００２−２５００６０号公報
【発明の開示】
【発明が解決しようとする課題】
【０００５】
この特許文献１の水栓の取付構造では、台座を天板の取付孔に上側から配置する前に、座金具を天板の取付孔に挿通させる必要があるが、この座金具は取付孔と比較して大径であるため折り畳んで挿入させる必要があり、作業に手間取るものである。しかも、座金具を天板の取付孔に挿通した後に、締結具を台座の縦孔に挿通して螺着するが、この場合、天板の厚みの寸法は各現場により異なり、天板の厚みが薄いほど、台座と座金具との間に天板が挟まれるまで締結具を何度も回転させて締付ける必要があり、作業性が悪くその改善が望まれていた。
【０００６】
この発明は、このような従来の技術に存在する問題点に着目してなされたものであり、その課題は、流し台や洗面台への水栓の取付けを天板の上側からのみの簡単な作業で、短時間かつ確実で安定した取付けができるようにすることである。
【課題を解決するための手段】
【０００７】
上記課題を達成するため、請求項１記載の発明では、天板の取付孔に取付部材が上側から取付けられ、この取付部材に水栓を取付ける水栓の取付構造において、天板の取付孔の上側に配置され給水管、給湯管が挿通する開口孔が形成された台座と、この台座に固定される締付ユニットとから前記取付部材を構成し、台座はその上面に開口孔内から締付ユニットが装着される支持部が形成され、締付ユニットは台座の開口孔内から支持部に装着される支持板と開口孔を下方に貫通して天板の下側に配置される支持棒とを備えた回転ガイドと、この回転ガイドに結合し下部には天板の下側に配置される雄ねじ部が形成された締付ビスと、この締付ビスの雄ねじ部に螺着し締付ビスの操作で雄ねじ部に沿って上下に移動する座金とを備え、台座を取付孔の上側に配置した後に締付ユニットを台座に装着し、締付ビスを締付けることで座金と台座との間で天板を挟着し、締付ユニットを台座に固定するようにしたものである。
【０００８】
請求項２に記載の発明では請求項１記載の発明において、前記回転ガイドの支持棒は一対設け、両支持棒の間に座金を挟持することで、締付ビスを締付けると座金は回転しないまま締付ビスの雄ねじ部に沿って上下に移動するようにしたものである。
【０００９】
請求項３に記載の発明では請求項１又は請求項２記載の発明において、前記回転ガイドは一対設け、両回転ガイドの間にホースを挿通させるようにしたものである。
【発明の効果】
【００１０】
本発明の請求項１記載の発明では、取付部材は台座を天板に配置した後に、締付ユニットを台座に固定するものであり、締付ユニットは予め回転ガイドから座金までの上下の間隔を、台座の底面と座金との間に天板を挟むことができるように調節しておけば、締付ユニットを台座に装着した後に、締付ユニットを台座に固定する作業が容易となり、作業性が大幅に向上する。
【００１１】
請求項２に記載の発明では、締付ユニットを台座に固定する場合に締付ビスを締付けても座金は回転しないので、座金を天板に対しその位置がずれることがなく広い範囲で密着させることで安定した状態で固定できる。
【００１２】
請求項３に記載の発明では、締付ユニットの両回転ガイドの間にホースを挿通させることで、回転ガイドがホースのガイドを兼ね、ホースの揺れを防止することができる。
【発明を実施するための最良の形態】
【００１３】
以下、本発明を具体化した実施形態を図に基づいて詳細に説明する。
【００１４】
本発明において図１に示すように水栓Ａは縦長の略円筒状で、湯水の温度及び流量を調節するためのレバー１と、このレバー１の操作により調節された湯水を外部へ吐水するための吐水ヘッド２とを設けている。水栓Ａの下部には空間部３が開口し、この空間部３の上端には図２に示すように、給水源に連通している給水管４と、給湯源に連通している給湯管５とがそれぞれ接続されている。さらにレバー１と空間部３との間には、給水管４から供給された水と給湯管５から供給された湯とをレバー１の操作で混合する混合弁６が収容され、空間部３の上端にはこの混合弁６と前記吐水ヘッド２とを接続するための供給管７が接続され、供給管７とその先端に接続されたホース８とが空間部３に収容されている。
【００１５】
水栓Ａは流し台又は洗面台の天板９に上側から固定される取付部材Ｂに取付けられている。図１乃至図３に示すように、水栓Ａを天板９に取付けるための取付部材Ｂは、天板９の上下方向に穿設された取付孔１０の上側に配置される台座２０と、天板９の上側から台座２０に支持される一対の締付ユニット４０，４０ａとから構成されている。
【００１６】
前記台座２０は水栓Ａの空間部３に嵌合する略円筒状であり、天板９の取付孔１０より大径で、取付孔１０の外周面に着座する環状の鍔部２１が下部外周に形成され、この鍔部２１の内周側から略環状に周壁２２が立ち上がっている。周壁２２には上下方向に切欠かれた一対の支持部２３，２３ａが、円周上で互いに間隔を設けて形成されている。この支持部２３，２３ａは前記締付ユニット４０，４０ａを上側から着脱自在に装着するために形成され、図４及び図５に示すように、その内周側には締付ユニット４０，４０ａを安定した状態で支持するための保持溝２４，２４ａが形成されている。台座２０の中央には、前記給水管４，給湯管５，供給管７及びホース８を上下方向に挿通可能である開口孔２５が穿設されている。
【００１７】
前記一対の締付ユニット４０，４０ａは台座２０の支持部２３，２３ａ及び保持溝２４，２４ａに着脱自在に装着されるものであり、図６に示すように、回転ガイド４１と、回転ガイド４１に結合される締付ビス４６と、締付ビス４６に螺着される座金５０とを備えている。
【００１８】
前記回転ガイド４１は縦長で、上端には前記台座２０の支持部２３及び保持溝２４に安定した状態で装着されるための支持板４２を備えている。図５に示すように支持板４２は平面視略三角形状で、その一端側の横幅Ｘは、台座２０に形成された支持部２３の横幅Ｙと略同一であるため、支持部２３に対し隙間なく装着される。図６に示すように、支持板４２の底面には前記保持溝２４に嵌合する突起４３が形成されているため、この突起４３と保持溝２４との嵌合により、締付ユニット４０は台座２０に対し安定した状態で着脱自在に装着することができる。
また、支持板４２は上下方向に貫通して挿通孔４４が形成され、この挿通孔４４に締付ビス４６が挿通し、回転ガイド４１に締付ビス４６が結合される。なお、挿通孔４４は支持板４２を台座２０の支持部２３に装着した場合に、台座２０の開口孔２５内に位置するように形成されている。支持板４２の下部には、締付ビス４６の操作で座金５０が回転しないように保持するための一対の支持棒４５，４５が垂設されており、互いの支持棒４５，４５は間隔を設けて垂設され、その下端部で連結部４６により一体とし、両支持部４５，４５の間に締付座金５０が挟持されるようにしている。
【００１９】
前記締付ビス４６は、回転ガイド４１の支持板４２から上部に露出する頭部４８と、頭部４８の下部に形成された雄ねじ部４９とを備え、雄ねじ部４９は回転ガイド４１の互いの支持棒４５，４５の間に配置される。
【００２０】
前記座金５０は、台座２０の周壁２２と上下に重なり合う平面視略弓形形状であり、略中央には突起５１が形成されている。この突起５１は締付ユニット４０が台座２０の支持部２３に装着された状態では、台座２０の開口孔２５の同軸内に配置され、締付ビス４６の雄ねじ部４９が螺着する雌ねじ部５２が形成されている。座金５０はその突起５１が回転ガイド４１の互いの支持棒４５，４５の間に挟まれるようにして配置されることで、締付ビス４６の操作で回転することがなく、上昇することで天板９に対し下部から密着させることができるものである。
【００２１】
本発明において、水栓Ａを流し台又は洗面台の天板９に取付けるには、図４に示すようにまず台座２０を天板９の取付孔１０の上側に配置する。
【００２２】
次に図５及び図７に示すように、台座２０の周壁２２に形成されている一方の支持部２３に、一方の締付ユニット４０を装着する。この場合、締付ユニット４０は予め回転ガイド４１に締付ビス４６と座金５０とを結合させた状態としておく。また、回転ガイド４１から座金５０までの上下の間隔は、台座２０の底面と座金５０との間に天板９を挟むことができるように調節しておく。即ち、座金５０の突起５１は支持板４２の両支持棒４５，４５の間に挟まれた状態であり、工具により締付ビス４６を回転させると、座金５０の雌ねじ部５２は締付ビス４６の雄ねじ部４８に螺着し、さらに支持棒４５，４５の連結部４７に形成された雌ねじ部４７ａに締付ビス４６の雄ねじ部４９が螺着するため、座金５０は支持板４２の両支持棒４５，４５の間で回転することなく上昇又は下降し、その高さ位置を自由に調節することができる。
【００２３】
そして、工具により締付ビス４６を締付け方向に回転させると、座金５０は締付ビス４６の雄ねじ部４９に沿って上昇するため、座金５０と台座２０の底面との間に天板９は挟着され、締付ユニット４０は台座２０に固定される。
【００２４】
続いて図８及び図９に示すように、もう一方の締付ユニット４０ａも同様に台座２０の周壁２２に形成されている支持部２３ａに装着する。この場合、既に片方の締付ユニット４０は支持部２３に装着されているため、台座２０の開口孔２５には広い空間が確保されおり、新たに締付ユニット４０ａを開口孔２５へ挿入する際に障害物がなく、その装着作業を円滑に行なうことができる。
【００２５】
そして図１に示すように、台座２０に対し上側から水栓Ａの空間部３を嵌合し、かつ給水管４，給湯管５，供給管７，ホース８を台座２０の開口孔２５に挿通し、図１に示すように、工具によりビス５４を台座２０のビス孔２６に螺着すれば、水栓Ａを台座２０に取付けることができる。このように水栓Ａは天板９の上側からだけの作業で取付可能である。なお、図８に示すように台座２０の開口孔２５には給水管４，給湯管５，供給管７，ホース８が挿通されるが、ホース８は締付ユニット４０，４０ａの回転ガイド４１，４１の間に挟まれた位置に挿通させることで、ホース８の揺れを防止することができる。
【００２６】
この発明では以上のように、取付部材Ｂは台座２０を天板９に配置した後に、締付ユニット４０，４０ａを台座に装着するものであり、締付ユニット４０は予め回転ガイド４１から座金５０までの上下の間隔を、台座２０の底面と座金５０との間に天板９を挟むことができるように調節しておけば、締付ユニット４０，４０ａを台座２０に装着した後に、締付ビス４６の締付け方向の操作で座金５０と台座２０の底面との間に天板９を挟着して、締付ユニット４０，４０ａを台座２０に固定する作業が容易となり、作業性が大幅に向上する。
【図面の簡単な説明】
【００２７】
【図１】本発明の水栓の取付構造を示す縦断面図である。
【図２】取付部材に給水管、給湯管、供給管、ホースを挿通させた状態の説明図である。
【図３】取付部材の斜視図である。
【図４】取付部材の台座に一方の締付ユニットを取付ける状態の説明図である。
【図５】取付部材の台座に一方の締付ユニットを取付ける状態の平面からの説明図である。
【図６】締付ユニットの斜視図である。
【図７】台座に一方の締付ユニットを装着した状態の説明図である。
【図８】台座にもう一方の締付ユニットを装着する状態の平面からの説明図である。
【図９】台座にもう一方の締付ユニットを装着した状態の説明図である。
【符号の説明】
【００２８】
４          ：  給水管
５          ：  給湯管
８          ：  ホース
９          ：  天板
１０          ：  取付孔
２０          ：  台座
２３，２３ａ  ：  支持部
２５          ：  開口孔
４０，４０ａ  ：  締付ユニット
４１          ：  回転ガイド
４２          ：  支持板
４５          ：  支持棒
４６          ：  締付ビス
４９          ：  雄ねじ部
５０          ：  座金
Ａ            ：  水栓
Ｂ            ：  取付部材
【図１】
2008156919.tif 000003
【図２】
2008156919.tif 000004
【図３】
2008156919.tif 000005
【図４】
2008156919.tif 000006
【図５】
2008156919.tif 000007
【図６】
2008156919.tif 000008
【図７】
2008156919.tif 000009
【図８】
2008156919.tif 000010
【図９】
2008156919.tif 000011